(57)【要約】【課題】  着脱せずとも容易に端子で結線等可能で、かつ容易に脱着可能としたカバーを備えたノイズフィルタを提供する。【解決手段】  第一側壁２１と、第二側壁２２と、第三側壁２３と、第四側壁２４と、頂壁２５とから箱形形状に構成され、内部にフィルタ回路を備えたケース２の第三側壁２３及び第四側壁２４に、頂壁側が開放部となる端子３１を備えた端子台３が設けられ、第一側壁２１と第二側壁２１の端子台３近傍には、第三側壁２３から第四側壁２４に向かう方向と直交する方向に延びる第一溝５ａ及び第二溝６ａが形成されている。カバー４は一対の第一腕部壁４１と第二腕部壁４２とを有し、第一腕部壁４１及び第二腕部壁４２のそれぞれ対向する面には、それぞれ第一溝５ａ及び第二溝６ａに挿入される第一回動軸部４５及び第二回動軸部４６が設けられ、カバー４が開放部分を閉止可能にケース２に取り付けられる。【選択図】図６
2007035500.tif 000002
【特許請求の範囲】
【請求項１】
第一側部と、該第一側部と対向する第二側部と、該第一側部の一端と該第二側部の一端とに跨って設けられる第三側部と、該第三側部と対向して該第一側部の他端と該第二側部の他端とに跨って設けられる第四側部と、該第一側部と該第二側部及び該第三側部と該第四側部それぞれに跨って設けられる頂部とを有するケースと、
該ケースに収容されコイル及びコンデンサを有するフィルタ回路と、
該第三側部又は該第四側部の少なくとも一方に該ケースと一体に設けられ、該フィルタ回路と電気的に接続され少なくとも該頂部側が開放部となる端子を備えた端子台と、
該開放部を覆うカバーとを有し、
該カバーは、それぞれ該第一側部の外面及び該第二側部の外面であって該頂部近傍に着脱可能及び回動可能に取付けられる第一接続部及び第二接続部を有し、該開放部を閉止した閉止位置と開放した開放位置との間を移動可能としたことを特徴とするノイズフィルタ。
【請求項２】
該端子台には、該ノイズフィルタを被取付部材に取付ける取付部が設けられ、該取付部は該カバーにより閉止可能であることを特徴とする請求項１に記載のノイズフィルタ。
【請求項３】
該第一側部の該外面には、該端子台近傍かつ該頂部近傍から延びる第一溝を画成する第一溝画成部と、該第一溝画成部の該頂部位置に設けられて該第一溝の該頂部への開口を閉止する第一閉止壁とが設けられ、
該第二側部の該外面には、該端子台近傍かつ該頂部近傍から延びる第二溝を画成する第二溝画成部と、該第二溝画成部の該頂部位置に設けられて該第二溝の該頂部への開口を閉止する第二閉止壁とが設けられ、
該第一接続部には、該第二接続部側に向けて延出される第一回動軸部を備え、
該第二接続部には、該第一接続部側に向けて延出される第二回動軸部を備え、
該第一回動軸部が該第一溝内であって該第一閉止壁近傍に挿入されると共に、該第二回動軸部が該第二溝内であって該第二閉止壁近傍に挿入されて該カバーが該ケースに装着されていることを特徴とする請求項１又は請求項２のいずれかに記載のノイズフィルタ。
【請求項４】
該第一溝と該第二溝とは略平行に延びていると共に、それぞれ該第三側部から該第四側部へ向かう方向と直交する方向に延びて形成され、
該端子台には、該第一溝形成部と連続する第一摺動面と、該第二溝形成部と連続する第二摺動面とをそれぞれ備え、
該第一接続部と該第二接続部とはそれぞれ略平行に延びる弾性体から構成される第一腕部と第二腕部とを備え、
該第一腕部と該第二腕部とにはそれぞれ該第一回動軸部と該第二回動軸部とが略同軸上に設けられると共に、該第一腕部には該第一回動軸部近傍に配置されて該第一回動軸部の延出方向と同一方向に突出される第一凸部が設けられ、該第二腕部部には該第二回動軸部近傍に配置されて該第一回動軸部の延出方向と同一方向かつ該第一凸部と略同軸に突出される第二凸部が設けられ、該第一腕部と該第二腕部とは該第一凸部先端位置から該第二凸部先端位置までの距離が該第一摺動面から該第二摺動面までの距離より短い固定位置から該第一凸部先端位置から該第二凸部先端位置までの距離が該第一摺動面から該第二摺動面までの距離と略等しい摺動位置までの間を弾性的に移動可能であり、
該カバーが該閉止位置で、該第一腕部及び該第二腕部は該固定位置に配置され、該第一凸部は該第一溝内であって該第一回動軸部よりも該頂部から離れた位置に挿入されると共に、該第二凸部は該第二溝内であって該第二回動軸部よりも該頂部から離れた位置に挿入され、
該カバーが該閉止位置から該開放位置へ移行する時に、該第一腕部及び該第二腕部は互いに離間するように押し広げられて該摺動位置に配置され、該第一凸部及び該第二凸部はそれぞれ該第一摺動面上及び該第二摺動面上に位置すると共に、該第一摺動面上及び該第二摺動面上を摺動することを特徴とする請求項３に記載のノイズフィルタ。
【請求項５】
該第一摺動面の該第一溝との境界位置であって該第一凸部が摺動する軌跡上には、該第一摺動面より突出する第一突起が設けられ、
該第二摺動面の該第二溝との境界位置であって該第二凸部が摺動する軌跡上には、該第二摺動面より突出する第二突起が設けられていることを特徴とする請求項４に記載のノイズフィルタ。
【請求項６】
該端子台は、該第一摺動面及び該第二摺動面に連続する該頂部側に面する頂部側面を有し、該カバーが該開放位置にある時に該第一凸部及び該第二凸部は該頂部側面上に位置すると共に、該第一腕部及び該第二腕部は該固定位置に位置することを特徴とする請求項４または請求項５のいずれかに記載のノイズフィルタ。
【請求項７】
該第一溝形成部は、該第一溝内側面であって端子台側に位置する第一溝第一側面と、該第一溝内側面であって該第一溝第一側面と対向する面である第一溝第二側面と、を有し、
該第二溝形成部は、該第二溝内側面であって端子台側に位置する第二溝第一側面と、該第二溝内側面であって該第二溝第一側面と対向する面である第二溝第二側面と、を有し、
該カバーが該閉止位置にある状態で、該第一回動軸部及び該第二回動軸部はそれぞれ該第一溝第二側面及び該第二溝第二側面に当接し、該第一凸部及び該第二凸部はそれぞれ該第一溝第一側面及び該第二溝第一側面に当接することを特徴とする請求項４から請求項６のいずれか一に記載のノイズフィルタ。
【請求項８】
該ケースは樹脂から製造され、該ケースの該第一側部、該第二側部、第三側部、及び第四側部に対して該頂部の反対位置には、該第一側部、該第二側部、第三側部、及び第四側部により画成される開口が形成され、該開口は、金属製のベース部材により覆われていることを特徴とする請求項１から請求項７のいずれか一に記載のノイズフィルタ。
【発明の詳細な説明】
【技術分野】
【０００１】
本発明はノイズフィルタに関する。
【背景技術】
【０００２】
従来からこの種のノイズフィルタとして、ケース内にチョークコイルとコンデンサとからなるフィルタ回路を備えたノイズフィルタが知られている。このノイズフィルタは、盤内機器に搭載された後に、盤内機器の他の回路と導線により接続される。この導線による接続を簡易に行うために、一般のノイズフィルタでは、端子を設け、この端子に導線を結線して接続を行っている。
【０００３】
よってノイズフィルタに設けられた端子へのアクセスをよくするために、端子はノイズフィルタ表面、たとえばノイズフィルタの頂部に設けられている。この端子を結線後、剥き出しの状態にすると、他の回路等とショートするおそれがあるため、特許文献１や特許文献２に示される様に、端子部分にはカバーが設けられている。
【特許文献１】特開２０００−１１３９１８号公報
【特許文献２】特開平５−１６８１１２号公報
【発明の開示】
【発明が解決しようとする課題】
【０００４】
しかし、特許文献１に示されるノイズフィルタでは、カバーをノイズフィルタ本体より取り外す必要がある。この場合に取り外したカバーを無くすおそれがあり、その場合には新たにカバーを準備する必要があった。
【０００５】
また特許文献２におけるノイズフィルタでは、カバーを取り外さずに結線作業をすることは可能であるが、ノイズフィルタが搭載された盤内機器内のスペースの問題などから、カバーを取り外したい場合に、カバーを外すことが容易ではなかった。また無理に取り外そうとすると、カバーが破損する恐れもあった。
【０００６】
そこで、本発明は、着脱せずとも容易に端子で結線、及びメンテナンス可能であり、かつ脱着を容易に可能としたカバーを備えたノイズフィルタを提供することを目的とする。
【課題を解決するための手段】
【０００７】
上記課題を解決するために本発明は、第一側部と、第一側部と対向する第二側部と、第一側部の一端と第二側部の一端とに跨って設けられる第三側部と、第三側部と対向して第一側部の他端と第二側部の他端とに跨って設けられる第四側部と、第一側部と第二側部及び第三側部と第四側部それぞれに跨って設けられる頂部とを有するケースと、ケースに収容されコイル及びコンデンサを有するフィルタ回路と、第三側部又は第四側部の少なくとも一方にケースと一体に設けられ、フィルタ回路と電気的に接続され少なくとも頂部側が開放部となる端子を備えた端子台と、開放部を覆うカバーとを有したノイズフィルタを提供する。このノイズフィルタのカバーは、それぞれ第一側部の外面及び第二側部の外面であって頂部近傍に着脱可能及び回動可能に取付けられる第一接続部及び第二接続部を有し、開放部を閉止した閉止位置と開放した開放位置との間を移動可能となっている。
【０００８】
このような構成によると、カバーがケースに回動支持されるため、カバーを取り外さなくても端子に導線を結線することができる。またケースの外側にカバーの取付部分が有るため、カバーの着脱が容易であり、カバーを必要に応じて取り外すこともできる。よって盤内機器においてノイズフィルタの配置の制約が少なくなり、盤内機器の設計の自由度を増すことができる。
【０００９】
上記構成のノイズフィルタにおいて、端子台には、ノイズフィルタを被取付部材に取付ける取付部が設けられ、取付部はカバーにより閉止可能であることが好ましい。
【００１０】
このような構成によると、取付部への接近が容易となり、ノイズフィルタの盤内機器への搭載が容易となる。また取付部は、ノイズフィルタを盤内機器に取り付ける際に一般に螺子等により取付を行うが、螺子等も導電性を備えることが多いため、取付部をカバーで覆うことにより、螺子等でショートが発生することを防止することができる。
【００１１】
また第一側部の外面には、端子台近傍かつ頂部近傍から延びる第一溝を画成する第一溝画成部と、第一溝画成部の頂部位置に設けられて第一溝の頂部への開口を閉止する第一閉止壁とが設けられ、第二側部の外面には、端子台近傍かつ頂部近傍から延びる第二溝を画成する第二溝画成部と、第二溝画成部の頂部位置に設けられて第二溝の頂部への開口を閉止する第二閉止壁とが設けられ、第一接続部には、第二接続部側に向けて延出される第一回動軸部を備え、第二接続部には、第一接続部側に向けて延出される第二回動軸部を備えたノイズフィルタであることが好ましい。このノイズフィルタでは、第一回動軸部が第一溝内であって第一閉止壁近傍に挿入されると共に、第二回動軸部が第二溝内であって第二閉止壁近傍に挿入されてカバーがケースに装着されている。
【００１２】
このような構成によると、ケースの両側部に第一回動軸部及び第二回動軸部の回動支持部となる第一溝及び第二溝が形成される。よって両側部から第一回動軸部及び第二回動軸部を第一溝及び第二溝内に挿入し、第一回動軸部及び第二回動軸部で狭持するように、カバーをケースに取り付けることができる。従って、第一回動軸部と第二回動軸部との間を押し広げることにより、カバーをケースに容易に着脱することができる。
【００１３】
また第一溝と第二溝とは略平行に延びていると共に、それぞれ第三側部から第四側部へ向かう方向と直交する方向に延びて形成され、端子台には、第一溝形成部と連続する第一摺動面と、第二溝形成部と連続する第二摺動面とをそれぞれ備え、第一接続部と第二接続部とはそれぞれ略平行に延びる弾性体から構成される第一腕部と第二腕部とを備え、第一腕部と第二腕部とにはそれぞれ第一回動軸部と第二回動軸部とが略同軸上に設けられると共に、第一腕部には第一回動軸部近傍に配置されて第一回動軸部の延出方向と同一方向に突出される第一凸部が設けられ、第二腕部部には第二回動軸部近傍に配置されて第一回動軸部の延出方向と同一方向かつ第一凸部と略同軸に突出される第二凸部が設けられ、第一腕部と第二腕部とは第一凸部先端位置から第二凸部先端位置までの距離が第一摺動面から第二摺動面までの距離より短い固定位置から第一凸部先端位置から第二凸部先端位置までの距離が第一摺動面から第二摺動面までの距離と略等しい摺動位置までの間を弾性的に移動可能であるノイズフィルタであることが好ましい。このノイズフィルタでは、カバーが閉止位置で、第一腕部及び第二腕部は固定位置に配置され、第一凸部は第一溝内であって第一回動軸部よりも頂部から離れた位置に挿入されると共に、第二凸部は第二溝内であって第二回動軸部よりも頂部から離れた位置に挿入され、カバーが閉止位置から開放位置へ移行する時に、第一腕部及び第二腕部は互いに離間するように押し広げられて摺動位置に配置され、第一凸部及び第二凸部はそれぞれ第一摺動面上及び第二摺動面上に位置すると共に、第一摺動面上及び第二摺動面上を摺動する。
【００１４】
このような構成によると、第一凸部と第二凸部とがそれぞれ第一溝と第二溝とに挿入されることにより、カバーを閉止位置に保持することができる。よって振動等により、カバーが不意に開くことが抑制される。また第一回動軸部と第一凸部とが挿入される第一溝を一の溝より構成し、第二回動軸部と第二凸部とが挿入される第二溝も一の溝より構成している。これにより、ケースの形状を簡略化することができ、ケースの成型のための金型等の形状を簡略化することができる。よって生産性を増すことができる。また第一腕部と第二腕部とは弾性体であるため、固定位置から摺動位置に押し広げられて第一摺動面及び第二摺動面上に第一凸部及び第二凸部とが配された場合、第一摺動面と第二摺動面とで端子台を狭持することになる。これにより第一凸部及び第二凸部と第一摺動面及び第二摺動面との間に摩擦が発生し、第一凸部及び第二凸部が第一摺動面上及び第二摺動面上の軌跡の任意の位置にある状態で、カバーをケースに対して任意の位置に保つことができる。また第一凸部及び第二凸部が第一摺動面上及び第二摺動面上から第一溝及び第二溝内に入ったときに、第一腕部及び第二腕部は、弾性復元力により固定位置に移動する。この時に弾性力により、第一腕部及び第二腕部は弾かれた様に移動するため僅かに衝撃が発生する。よってこの衝撃により、カバーを開閉する使用者に、カバーが閉止位置に確実に位置したことを報知することができる。
【００１５】
また第一摺動面の第一溝との境界位置であって第一凸部が摺動する軌跡上には、第一摺動面より突出する第一突起が設けられ、第二摺動面の第二溝との境界位置であって第二凸部が摺動する軌跡上には、第二摺動面より突出する第二突起が設けられていることが好ましい。
【００１６】
このような構成によると、第一凸部及び第二凸部は、第一溝及び第二溝から第一摺動面及び第二摺動面に移動する際に、それぞれ第一突起及び第二突起を乗り越える必要がある。よって、第一凸部及び第二凸部が、それぞれ第一溝及び第二溝から不意に外れることが更に抑制される。また、第一凸部及び第二凸部は、第一摺動面及び第二摺動面からに第一溝内及び第二溝内に移動する際にも、それぞれ第一突起及び第二突起を乗り越える必要がある。この時に第一腕及び第二腕は、摺動位置から更に押し広げられた後に固定位置に弾性的に移動するため、第一凸部及び第二凸部が第一摺動面及び第二摺動面から第一溝内及び第二溝内に移動した際の衝撃を更に大きくすることができ、使用者にカバーが閉止位置に位置したことを更に確実に報知することができる。
【００１７】
また端子台は、第一摺動面及び第二摺動面に連続する頂部側に面する頂部側面を有し、カバーが開放位置にある時に第一凸部及び第二凸部は頂部側面上に位置すると共に、第一腕部及び第二腕部は固定位置に位置することが好ましい。
【００１８】
このような構成によると、カバーが開放位置で、第一凸部及び第二凸部は、第一摺動面及び第二摺動面から外れて頂部側面に乗り上げる。この時に第一腕部及び第二腕部は固定位置にあるので、第一凸部は第一摺動面と頂部側面との角部に乗り上がり、第二凸部は第二摺動面と頂部側面との角部に乗り上がるため、第一凸部及び第二凸部が第一摺動面上及び第二摺動面上に移動することが抑制される。よってカバーは開放位置で維持される。
【００１９】
また第一溝形成部は、第一溝内側面であって端子台側に位置する第一溝第一側面と、第一溝内側面であって第一溝第一側面と対向する面である第一溝第二側面と、を有し、第二溝形成部は、第二溝内側面であって端子台側に位置する第二溝第一側面と、第二溝内側面であって第二溝第一側面と対向する面である第二溝第二側面と、を有し、カバーが閉止位置にある状態で、第一回動軸部及び第二回動軸部はそれぞれ第一溝第二側面及び第二溝第二側面に当接し、第一凸部及び第二凸部はそれぞれ第一溝第一側面及び第二溝第一側面に当接することが好ましい。
【００２０】
このような構成によると、カバーが閉止位置にある状態で、第一回動軸部が第一溝第二側面に当接し、第一凸部が第一溝第一側面に当接する。第二回動軸部も同様に当接するため、少なくとも第一溝及び第二溝と直交する方向においては、カバーが動くのを抑制することできる。よってカバーが閉止位置にある状態で、カバーのガタつきを抑制することができる。
【００２１】
またケースは樹脂から製造され、ケースの第一側部、第二側部、第三側部、及び第四側部に対して頂部の反対位置には、第一側部、第二側部、第三側部、及び第四側部により画成される開口が形成され、開口は、金属製のベース部材により覆われていることが好ましい。
【００２２】
このような構成によると、ケース全体を絶縁体とすることができるため、端子に導線を結線し、カバーを閉止位置にした後は、ノイズフィルタでショートが発生することが抑制される。また盤内機器との接触部分となる開口部分には、金属製のベース部材が配置されるため、このベース部材をアースとして、盤内機器上の電極と接触させることができる。
【発明の効果】
【００２３】
本発明のノイズフィルタによれば、カバーを着脱せずとも容易に端子で結線、及びメンテナンス可能であり、かつ必要に応じてカバーの脱着も容易となる。
【発明を実施するための最良の形態】
【００２４】
本発明の実施の形態に係るノイズフィルタについて、図１から図６を参照して説明する。図１は本実施の形態に係るノイズフィルタ１が示される斜視図である。ノイズフィルタ１は、ケース２と、一対の端子台３、３と、一対のカバー４、４を主に備えて構成されている。
【００２５】
ケース２は、絶縁体の樹脂を素材とし、第一側壁２１と、第一側壁２１と対向する第二側壁２２と、第一側壁２１の一端と第二側壁２２の一端とに跨って設けられる第三側壁２３と、第三側壁２３と対向して第一側壁２１の他端と第二側壁２２の他端とに跨って設けられる第四側壁２４と、第一側壁２１と第二側壁２２及び第三側壁２３と第四側壁２４それぞれに跨って設けられる頂壁２５とを備えており、第三側壁２３から第四側壁２４へと向かう方向を長手方向とする略箱形に構成されている。またケース２の第一側壁２１、第二側壁２２、第三側壁２３及び第四側壁２４に対して頂壁２５の反対位置には、第一側壁２１、第二側壁２２、第三側壁２３及び第四側壁２４により画成される図示せぬ開口が形成されている。この開口からケース２内部に、コイルとコンデンサから構成される図示せぬフィルタ回路が挿入されて固定されている。また図示せぬ開口は、金属製のベース２６により覆われている。ベース２６は、ノイズフィルタ１が図示せぬ盤内機器に搭載された状態で、盤内機器に設けられたアースと電気的に接続される。以下、本実施の形態において、第三側壁２３から第四側壁２４へと向かう方向を長手方向、頂壁２５からベース２６に向かう方向を上下方向、第一側壁２１から第二側壁２２へと向かう方向を短手方向と定義して説明する。
【００２６】
図２及び図４に示されるように、第一側壁２１外表面の第三側壁２３側及び第四側面側２４には第一溝形成部５、５が規定されており、第一溝形成部５、５には第一溝５ａ、５ａが形成されている。また図２に示されるように、第二側壁２２外表面の第三側壁２３側及び第四側壁２４側には第二溝形成部６、６が規定されており、第一溝形成部６、６には第一溝６ａ、６ａが形成されている。
【００２７】
図４に示されるように、第一側壁２１の第一溝形成部５、５は、第一溝５ａを画成する側面として、後述する端子台３、３側に位置する第一溝第一側面５１、５１と、第一溝第一側面５１、５１と対向する第一溝第二側面５２、５２とを有している。第二側壁２２においても、第一側壁２１と同様に、図２に示されるように、第一溝形成部６、６が、第一溝６ａ、６ａを画成する側面として、端子台３、３側に位置する第一溝第一側面６１、６１（図２）と、第一溝第一側面６１、６１と対向する第一溝第二側面６２、６２（図２）とを有している。
【００２８】
これら第一溝５ａ、５ａ及び第二溝６ａ、６ａはそれぞれケース２の長手方向と略直交する方向に延びて形成されており、第一側壁２１における第一溝５ａ、５ａと第二側壁２２における第二溝６ａ、６ａは、ケース２の長手方向において略同位置に形成されている。図２及び図４に示されるように、第一溝５ａ、５ａ及び第二溝６ａ、６ａは、それぞれ頂壁２５部分で第一閉止壁５３、５３及び第二閉止壁６３、６３により閉止されている。
【００２９】
ケース２の第三側壁２３近傍及び第四側壁２４近傍にはケース２と一体の端子台３、３がそれぞれ設けられている。ケース２においては、その長手方向における形状が対称に形成されている、即ち第三側壁２３近傍及び第四側壁２３近傍が同形状に構成されているため、以下の説明で特に言及しない限りは、第三側壁２３近傍の端子台３のみについて説明し、第四側壁２３近傍の端子台３についての説明は省略する。
【００３０】
端子台３は、図２及び図３に示されるように、第三側壁２３と、第一側壁２１の第一溝５ａより第三側壁２３側部分及び第二側壁２２の第二溝６ａより第三側壁２３側部分と、から構成されている。また端子台３の頂壁２５側に位置する箇所には、頂部側壁３７が設けられている。頂部側壁３７表面は、頂壁２５に対してベース２６側に落ち込んでおり、頂壁２５表面と、頂部側壁３７表面との間には、頂壁２５表面が落ち込んだ分の段部３Ａ（図４）が設けられている。
【００３１】
図２、図３に示されるように、第一溝５ａから第一側壁２１表面、第三側壁２３表面及び第二側壁２２表面に跨って第二溝６ａまで一連の段部３Ｂが設けられている。頂部側壁３７からベース２６に向かう方向と直交する方向の端子台３の断面は、この段部３Ｂを境にして頂部側壁３７側の方がベース２６側より断面積が小さくなるように構成されている。
【００３２】
また、図２、図３に示されるように、第一溝５ａ、段部３Ｂ及び頂部側壁３７で区画される箇所には、第一摺動面３３が規定されており、第二溝６ａ、段部３Ｂ及び頂部側壁３７で区画される箇所には、第二摺動面３４が規定されている。第一摺動面３３の第一溝５ａとの境界部分であって段部３Ｂの近傍位置には、第一摺動面３３から僅かに突出する第一突起３５が突設されており、第二摺動面３４の第二溝６ａとの境界部分であって段部３Ｂの近傍位置には、第二摺動面３４から僅かに突出する第二突起３６が突設されている。
【００３３】
図２に示されるように、頂部側壁３７の第一側壁２１側位置には、取付部３２が設けられている。取付部３２には、頂部側壁３７側からベース２６側へと貫通する貫通孔３２ａが形成されている。この貫通孔３２ａに図示せぬ螺子を通し、ノイズフィルタ１を盤内機器に取り付けることができる。
【００３４】
また端子台３には、頂部側壁３７表面と第三側壁２３表面とに跨って開放する空間３１ａ、３１ｂ及び３１ｃ（図３）が形成されている。図２、図３及び図６に示されるように空間３１ａ、３１ｂ及び３１ｃは、取付部３２近傍から第二側壁２２側に向かって並んで形成されており、空間３１ａと空間３１ｂ、空間３１ｂと空間３１ｃは、それぞれ壁により区画されている。
【００３５】
これら空間３１ａ〜空間３１ｃ内には、それぞれ端子３１Ａ〜３１Ｃが配置されている。端子３１Ａ、端子３１Ｃは、ケース２内の図示せぬフィルタ回路と電気的に接続されている。また端子３１Ｂは、ベース２６と電気的に接続されている。
【００３６】
カバー４は弾性及び絶縁性を備えた樹脂製であって、図５（ａ）に示されるように、略矩形の閉止壁４３と、閉止壁４３の一方の長辺から閉止壁４３と略直交して延出される側壁４４と、閉止壁４３の両短辺からそれぞれ閉止壁４３と略直交して延出される第一接続部である第一腕部壁４１及び第二接続部である第二腕部壁４２とから主に構成されている。第一腕部壁４１及び第二腕部壁４２は、閉止壁４３短辺方向において一端側でそれぞれ側壁４４と接続されている。閉止壁４３には、カバー４が端子台３に取り付けられた状態で、端子３１Ａ〜３１Ｃと対向する位置に、それぞれ貫通孔４３ａ、４３ｂ、４３ｃが形成されている。
【００３７】
閉止壁４３の短辺方向長さは頂部側壁３７の段部３Ａから第三側壁２３までの距離と略等しく、長辺方向長さは、頂部側壁３７の第一摺動面３３から第二摺動面３４までの距離と略等しくなるように構成されている。故に第一腕部壁４１から第二腕部壁４２までの距離も頂部側壁３７の第一摺動面３３と交わる位置から第二摺動面３４と交わる位置までの距離と略等しくなるように構成されている。また側壁４４、第一腕部壁４１、及び第二腕部壁４２の閉止壁４３からの延出量は、端子台３において、頂部側壁３７から段部３Ｂまでの距離と略等しく構成されている。
【００３８】
第一腕部壁４１及び第二腕部壁４２の閉止壁４３短辺方向の長さは、閉止壁４３の短辺長さより大きくなるように構成されており、具体的には、ケース２において、第三側壁２３から第一溝第二側面５２、第二溝第二側面６２までの距離より僅かに短い距離となるように構成されている。よって第一腕部壁４１及び第二腕部壁４２の閉止壁４３短辺方向の他端側は閉止壁４３の他方の長辺位置より突出した位置にある。故に第一腕部壁４１及び第二腕部壁４２は、突出した他端側を先端側、閉止壁４３と接続された位置を基端側とした一対の腕部を構成している。
【００３９】
図５（ａ）に示されるように第一腕部壁４１及び第二腕部壁４２の腕部先端側位置であって、図５（ｂ）に示されるように第一腕部壁４１及び第二腕部壁４２の閉止壁４３からの延出方向の基部側位置であり、かつ第一腕部壁４１及び第二腕部壁４２の互いに対向する内面には、それぞれ第一回動軸部４５及び第二回動軸部４６が設けられている。第一回動軸部４５と第二回動軸部４６とは、同軸上に設けられている。また第一回動軸部４５及び第二回動軸部４６の互いに対向する内面からの第一腕部壁４１及び第二腕部壁４２の突出量は、第一溝５ａ及び第二溝６ａの深さより短くなるように構成されている。
【００４０】
第一腕部壁４１及び第二腕部壁４２において第一回動軸部４５及び第二回動軸部４６が取り付けられた箇所の第一腕部壁４１及び第二腕部壁４２の閉止壁４３からの延出方向端部側位置には、第一回動軸部４５及び第二回動軸部４６の延出方向と同じ方向に突出する第一凸部４７及び第二凸部４８がそれぞれ設けられている。第一凸部４７と第二凸部４８とは略同軸上に設けられている共に、第一凸部４７先端位置から第二凸部４８先端位置までの距離が第一摺動面３３から第二摺動面３４までの距離より短くなるように構成されている。
【００４１】
また図５（ａ）、（ｃ）に示されるように、閉止壁４３の短辺方向において、第一凸部４７と第一回動軸部４５との位置は僅かにずれており、第一凸部４７の位置は、第一回動軸部４５の位置より僅かに閉止壁４３に近接した位置となっている。第一凸部４７と第一回動軸部４５とのずれ幅は、第一溝５ａにおいて、第一溝第一側面５１から第一溝第二側面５２までの距離と略等しくなっている。図５（ａ）に示されるように、第二凸部４８と第二回動軸部４６との位置も僅かにずれており、第二凸部４８の方が閉止壁４３に近接している。また第二凸部４８と第二回動軸部４６とのずれ幅は、第二溝６ａにおいて、第二溝第一側面６１から第二溝第二側面６２までの距離と略等しくなっている。
【００４２】
カバー４をケース２に取り付ける場合には、第一腕部壁４１の先端部及び第二腕部壁４２の先端部を互いに押し広げた状態で、第一回動軸部４５を第一溝５ａ内に挿入すると共に、第二回動軸部４６を第二溝６ａ内に挿入し、第一回動軸部４５及び第二回動軸部４６でケース２を狭持するように、カバー４をケース２に取り付ける。第一腕部壁４１及び第二腕部壁４２は弾性体であるため、容易に押し広げることができ、カバー４を容易に装着することができる。また逆にカバー４を外すときも、第一腕部壁４１及び第二腕部壁４２を容易に押し広げることができるため、ケース２からカバー４を容易に離脱することができる。
【００４３】
図１に示されるように、カバー４をケース２に装着してカバー４を締めた場合、即ちカバー４で端子３１Ａ〜Ｃ上方の開放部分が閉止された状態（カバー４が閉止位置にある状態）では、第一凸部４７及び第二凸部４８はそれぞれ第一溝５ａ及び第二溝６ａ（図２）内に挿入された状態にあり、第一腕部壁４１から第二腕部壁４２までの距離は、第一摺動面３３から第二摺動面３４までの距離と略等しいため、第一腕部壁４１及び第二腕部壁４２は弾性変形せず（固定位置）、カバー４を閉止位置に保持することができる。よって振動等により、カバー４が不意に開くことが抑制されている。
【００４４】
また第一凸部４７（図５）と第一回動軸部４５（図５）との閉止壁４３の短辺方向における位置がずれているため、第一凸部４７が第一溝第一側面５１（図２）に当接し、第一回動軸部４５が第一溝第二側面５２（図２）に当接する。また、第一凸部４７及び第一回動軸部４５と同様に、第二凸部４８（図５）及び第二回動軸部４６（図５）においても、第二凸部４８が第二溝第一側面６１（図２）に当接し、第二回動軸部４６が第二溝第二側面６２（図２）に当接する。これにより、第一溝５ａ及び第二溝６ａの幅方向、即ちケース２の長手方向においては、カバー４が動くのを抑制でき、カバー４が閉止位置にある状態で、ガタつきが発生することが抑制される。
【００４５】
またカバー４において、例えば第一腕部壁４１の閉止壁４３からの延出量は、端子台３において、頂部側壁３７から段部３Ｂまでの距離と略等しく構成されている。よって、閉止壁４３からの延出方向に設けられている第一凸部４７は、第一溝第一側面５１の段部３Ｂ近傍に当接することになる。第一摺動面３３であって段部３Ｂ近傍には、第一突起３５が設けられているため、カバー４が回動して第一凸部４７が第一溝５ａより脱するには、第一突起３５を乗り越える必要が生じる。第二凸部４８においても同様に第二突起３６を乗り越える必要が生じるため、カバー４が閉止位置から不意に開くことが更に抑制されている。
【００４６】
またカバー４が閉止位置にある場合は、端子３１Ａ〜３１Ｃの開放部分を閉止すると共に、取付部３２の貫通孔３２ａも閉止する。故にノイズフィルタ１を盤内機器に取り付ける図示せぬ螺子も保護され、ショート等が発生することが押さえられている。
【００４７】
カバー４を開く際には、第一回動軸部４５、第二回動軸部４６を回動軸とし、第一溝５ａの第一溝第一側面５１と第一溝第二側面５２と第一閉止壁５３、第二溝６ａの第二溝第一側面６１と第二溝第二側面６２と第二閉止壁６３をそれぞれ回動支持部として、カバー４を、側壁４４を頂壁２５表面上方に持ち上げるようにして回動させる。この時に第一凸部４７及び第二凸部４８がそれぞれ第一突起３５及び第二突起３６をそれぞれ乗り越えると共に第一摺動面３３及び第二摺動面３４上にそれぞれ位置する。第一凸部４７先端位置から第二凸部４８先端位置までの距離は第一摺動面３３から第二摺動面３４までの距離より短いため、第一腕部壁４１及び第二腕部壁４２は弾性変形して互いに押し広げられた状態になり（摺動位置）、第一凸部４７と第二凸部４８とで端子台３を狭持した状態になる。これにより第一凸部４７及び第二凸部４８と第一摺動面３３及び第二摺動面３４との間に摩擦が発生し、第一凸部４７及び第二凸部４８が第一摺動面３３上及び第二摺動面３４上の摺動の軌跡の任意の位置にある状態で、カバー４をケース２に対して任意の位置に保つことができる。
【００４８】
また第一凸部４７及び第二凸部４８が第一摺動面３３上及び第二摺動面３４上にそれぞれ位置している状態から、カバー４を閉めて閉止状態とした場合、第一腕部壁４１及び第二腕部壁４２は、弾性復元力により固定位置に移動する。この時に第一腕部壁４１及び第二腕部壁４２は、摺動位置から更に押し広げられた後に固定位置に弾性的に移動するため、第一凸部４７及び第二凸部４８が第一摺動面３３及び第二摺動面３４から第一溝５ａ内及び第二溝６ａ内に移動した際に衝撃を発し、使用者にカバー４が閉止位置に位置したこと確実に報知することができる。
【００４９】
第一凸部４７及び第二凸部４８がそれぞれ第一摺動面３３及び第二摺動面３４上に位置した状態から、側壁４４を更に頂壁２５表面上方に持ち上げるようにカバー４を回動させると、第一凸部４７及び第二凸部４８は第一摺動面３３及び第二摺動面３４上から外れ、図６に示されるように頂部側壁３７上に乗り上げる。この場合に、第一腕部壁４１及び第二腕部壁４２は、弾性復元力により固定位置に移動するため、第一凸部４７及び第二凸部４８は、頂部側壁３７に乗り上がり、カバー４の閉止壁４３が頂部側壁３７を覆っていない状態（開放位置）で支持される。この場合、容易に端子３１Ａ〜３１Ｃや、取付部３２にアクセスできるため、カバー４を取り外さなくてもノイズフィルタ１に導線を結線することができる。上述したようにカバー４は必要に応じて取り外すこともできため、盤内機器においてノイズフィルタ１の配置の制約が少なくなり、盤内機器の設計の自由度を増すことができる。
【００５０】
尚、本発明のノイズフィルタは、上記した実施の形態に限定されるものではなく、本発明の要旨を逸脱しない範囲内において種々変更を加え得ることは勿論である。
【図面の簡単な説明】
【００５１】
【図１】本発明の実施の形態に係るノイズフィルタにおけるカバーが閉止位置にある状態を示す斜視図。
【図２】本発明の実施の形態に係るノイズフィルタにおけるケースの平面図。
【図３】本発明の実施の形態に係るノイズフィルタにおけるケースの正面図。
【図４】本発明の実施の形態に係るノイズフィルタにおけるケースの側面図。
【図５】本発明の実施の形態に係るノイズフィルタにけるカバーの（ａ）底面図、（ｂ）背面図（ｃ）側面透視図。
【図６】本発明の実施の形態に係るノイズフィルタにおけるカバーが開放位置にある状態を示す斜視図。
【符号の説明】
【００５２】
１・・ノイズフィルタ  ２・・ケース  ２１・・第一側壁  ２２・・第二側壁
２３・・第三側壁  ２４・・第四側壁  ２５・・頂壁  ２６・・ベース  ３・・端子台
３Ａ・・段部  ３Ｂ・・段部  ３１ａ〜３１ｃ・・空間  ３１Ａ〜３１Ｂ・・端子
３２・・取付部  ３２ａ・・貫通孔  ３３・・第一摺動面  ３４・・第二摺動面
３５・・第一突起  ３６・・第二突起  ３７・・頂部側壁  ４・・カバー
４１・・第一腕部壁  ４２・・第二腕部壁  ４３・・閉止壁  ４４・・側壁
４５・・第一回動軸部  ４６・・第二回動軸部  ４７・・第一凸部  ４８・・第二凸部
５・・第一溝形成部  ５１・・第一溝第一側面  ５２・・第一溝第二側面
５３・・第一閉止壁  ５ａ・・第一溝  ６・・第二溝形成部  ６１・・第二溝第一側面
６２・・第二溝第二側面  ６３・・第二閉止壁  ６ａ・・第二溝
【図１】
2007035500.tif 000003
【図２】
2007035500.tif 000004
【図３】
2007035500.tif 000005
【図４】
2007035500.tif 000006
【図５】
2007035500.tif 000007
【図６】
2007035500.tif 000008